(57)【特許請求の範囲】
【請求項１】
容器本体と、これの口部に被せて密封する上蓋と、前記容器本体の底部に被せて密封する底蓋とで構成し、
前記底蓋は、天板とその下方に位置させた底板とこれら天板及び底板を連結する側板とを有して、
該底板と該天板と該側板の間に機能性付与物質を保管する収納空間を形成し、且つ該側板に該収納空間内に前記機能性付与物質を入れる入口を設けると共に前記天板に１以上の通気孔を設けてなり、前記底蓋の収納空間内に前記入口から前記機能性付与物質を入れ、その状態の底蓋を前記容器本体の底部に被せて密封し、
前記底蓋の底板の外周縁部に凸部を設けると共に
該凸部から外方に突出するシール線条を設け、
且つ、前記容器本体の底部の内周面に前記底蓋の底板の凸部に沿う凹部を設けてなり、
前記容器本体の底部に底蓋を被せた際、前記容器本体の底部の凹部に、前記底蓋の底板の凸部を嵌めて、前記容器本体の凹部に前記底蓋の底板における凸部とシール線条とが密着し、
該天板の外周縁部に凸部を設け、該凸部が該容器本体の下部内周面に形成された係止突部と係止することを特徴とする機能性付与容器。
【請求項２】
前記機能性付与物質は、乾燥剤である請求項１記載の機能性付与容器。
【請求項３】
前記機能性付与物質は、フレーバー剤である請求項１記載の機能性付与容器。
【発明の詳細な説明】
【技術分野】
【０００１】
本発明は、乾燥剤やフレーバー剤などの機能性付与物質を収納保管して、乾燥機能や芳香機能などを有する機能性付与容器に関するものであって、より詳しくは、容器本体内に乾燥剤等の機能性付与物質を収納するに際して、機能性付与物質を損傷させずに所定の場所に収納することができ、さらに使用時に機能性付与物質が脱落することもない、密封性の高い機能性付与容器に関する。
【背景技術】
【０００２】
機能性付与容器は、密封した状態でその内部に乾燥機能や芳香機能などの機能性を与えるものであり、したがって、機能性付与容器内に種々の機能を付与するための機能性付与物質を収納保管する必要がある。
【０００３】
このような機能性付与容器５０は、図９に示すように、有底筒状の容器本体５１にヒンジ連結部５２を介してキャップ５３を硬質合成樹脂にて一体成型し、容器本体５１の口部５４に進入して口部５４を密嵌する柔軟性合成樹脂材製の有蓋筒状パッキン５５をキャップ５３に嵌合すると共に、有蓋筒状パッキン５５内に乾燥剤５６を組み込んでなるものである（例えば、特許文献１参照）。
【０００４】
また、このような機能性付与容器６０は、図１０に示すようなものもあり、これは容器本体６１の口部６２に嵌着出来る合成樹脂製のキャップ６３を設け、このキャップ６３の頂板６４下面から縦方向に複数のスリット６５の設けられた弾性を有する筒状体６６を垂下して一体に設け、外方あるいは内方のいずれか一方に向かって水平方向に突出する段部６７を設け、この段部６７に続く筒状体６６の先端部には、段部６７の突出する向きと反対の向きに向かって傾斜する案内面６８を形成して、段部６７上に錠剤６９を保持できるようにしたものである（例えば、特許文献２参照）。
【先行技術文献】
【特許文献】
【０００５】
【特許文献１】実公平７−１６６２５号公報
【特許文献２】実開平３−８１６３号公報
【発明の概要】
【発明が解決しようとする課題】
【０００６】
図９に示す機能性付与容器５０は、柔軟性合成樹脂材製の有蓋筒状パッキン５５内に乾燥剤５６を組み込み、この状態の有蓋筒状パッキン５５を硬質合成樹脂材製のキャップ５３内に嵌合するものである。したがって、乾燥剤５６は有蓋筒状パッキン５５内に設けた保持用突起５７を乗り越えて組み込まなければならず、有蓋筒状パッキン５５が柔軟性合成樹脂材製であっても、乾燥剤５６が脆いものである場合、乾燥剤５６はその組み込み時に損傷を受ける可能性があり、さらに、有蓋筒状パッキン５５が柔軟性合成樹脂材製であるため、もともと乾燥剤５６の保持力が弱いと言える。したがって、ヒンジ連結部５２を介したキャップ５３の開閉により、有蓋筒状パッキン５５内から乾燥剤５６が脱落する虞がある。
【０００７】
図１０に示す機能性付与容器６０は、キャップ６３の頂板６４下面から垂下して設けられた筒状体６６に錠剤６９を嵌め込むものである。したがって、錠剤６９は筒状体６６に設けた乾燥剤保持用の段部６７を乗り越えて嵌め込まなければならず、筒状体６６に設けた案内面６８や複数のスリット６５により、筒状体６６に錠剤６９を嵌め込み易くしていても、錠剤６９が脆いものである場合、錠剤６９はその嵌め込み時に損傷を受ける可能性がある。したがって、キャップ６３の開閉により、キャップ６３の筒状体６６から錠剤６９が脱落する虞がある。
【０００８】
すなわち、図９の機能性付与容器５０並びに図１０の機能性付与容器６０における不都合は、いずれも可動部分であるキャップ５３内あるいはキャップ６３内に係止部を強制的に乗り越えて、乾燥剤５６あるいは錠剤６９を組み込んでいることに起因するものである。
【０００９】
そこで、本発明の目的は、収納するに際し機能性付与物質を損傷させることがなく、さらに使用時に機能性付与物質が脱落することもなくて、その機能性を全うすることが出来る機能性付与容器を提供することにある。
【課題を解決するための手段】
【００１０】
本発明は、上記目的を達成するために提案されたものであって、下記の構成からなることを特徴とするものである。
すなわち、本発明によれば、容器本体と、これの口部に被せて密封する上蓋と、前記容器本体の底部に被せて密封する底蓋とで構成し、
前記底蓋は、天板とその下方に位置させた底板とこれら天板及び底板を連結する側板とを有して、
該底板と該天板と該側板の間に機能性付与物質を保管する収納空間を形成し、且つ該側板に該収納空間内に前記機能性付与物質を入れる入口を設けると共に前記天板に１以上の通気孔を設けてなり、前記底蓋の収納空間内に前記入口から前記機能性付与物質を入れ、その状態の底蓋を前記容器本体の底部に被せて密封し、
前記底蓋の底板の外周縁部に凸部を設けると共に
該凸部から外方に突出するシール線条を設け、
且つ、前記容器本体の底部の内周面に前記底蓋の底板の凸部に沿う凹部を設けてなり、
前記容器本体の底部に底蓋を被せた際、前記容器本体の底部の凹部に、前記底蓋の底板の凸部を嵌めて、前記容器本体の凹部に前記底蓋の底板における凸部とシール線条とが密着し、
該天板の外周縁部に凸部を設け、該凸部が該容器本体の下部内周面に形成された係止突部と係止することを特徴とする機能性付与容器が提供される。
【００１２】
また、本発明によれば、前記機能性付与物質が、乾燥剤である機能性付与容器が提供される。
【００１３】
また、本発明によれば、前記機能性付与物質が、フレーバー剤である機能性付与容器が提供される。
【００１４】
上記第１の課題解決手段による作用は、底蓋の側板に設けられた入口から収納空間内に機能性付与物質を入れ、その状態のまま底蓋を容器本体の底部に被せて密封し、そのあと容器本体内に口部から機能性付与物質の恩恵を受ける製品を入れて、その口部に上蓋を被せて密封すれば、容器本体内の製品は底蓋の天板の通気孔を通して機能性付与物質による機能性を享受できる。また、容器本体の底部に底蓋を被せると、その底部の凹部に底蓋の底板の凸部を嵌めることになるので、凹部に底板の凸部から外方に突出するシール線条が密着すると共に、容器本体の下部内周面に設けた係止突部に底蓋の天板の凸部が係止することになる。
【００１７】
上記第２の課題解決手段による作用は、容器本体内は、底蓋の天板の通気孔を通して乾燥剤により乾燥状態が保持される。
【００１８】
上記第３の課題解決手段による作用は、容器本体内は、底蓋の天板の通気孔を通してフレーバー剤によりフレーバーな状態が保持される。
【発明の効果】
【００１９】
本発明の機能性付与容器によれば、容器本体の底部に被せる底蓋内に機能性付与物質を収納するための入口が形成されているため、機能性付与物質が脆い錠剤などであっても損傷させることがなく、さらに使用時に機能性付与物質が脱落することもないから、その機能性付与物質による機能性を全うすることが出来る効果がある。
【００２０】
また、本発明の機能性付与容器によれば、上記の効果に加えて、機能性付与物質を損傷することなく容易に容器に取り付けることができる効果がある。
【００２２】
また、本発明の機能性付与容器によれば、上記の効果に加えて、容器本体の底部と底蓋との密封性がより高まり、且つ底蓋のガタツキを押さえる効果がある。
【００２３】
また、本発明の機能性付与容器によれば、上記の効果に加えて、容器本体内の乾燥状態を保持できる効果がある。
【００２４】
また、本発明の機能性付与容器によれば、上記の効果に加えて、容器本体内のフレーバーな状態を保持できる効果がある。
【図面の簡単な説明】
【００２５】
【図１】本発明の実施の形態を示す上蓋を開いた状態の機能性付与容器の一部を破断した斜視図である。
【図２】本発明の実施の形態を示す上蓋を開いた状態の機能性付与容器の断面図である。
【図３】本発明の実施の形態を示す上蓋を開いた状態の容器本体の断面図である。
【図４】本発明の実施の形態を示す連結機能付ヒンジ容器の底蓋の平面図である。
【図５】図４に示した底蓋のＡ方向からみた側面図である。
【図６】図４に示した底蓋のＢ−Ｂ線断面図である。
【図７】底蓋内に機能性付与物質を収納した状態の断面図である。
【図８】容器本体の底部に機能性付与物質入りの底蓋を嵌め込んだ状態の一部を破断した断面図である。
【図９】従来例を示す断面図である。
【図１０】従来例を示す一部を破断した断面図である。
【発明を実施するための形態】
【００２６】
以下に、図面を参照して本発明を実施するための形態を説明する。
【実施例１】
【００２７】
図面において、１は機能性付与容器であり、この機能性付与容器１は、容器本体２と、これの口部３に被せて密封する上蓋４と、容器本体２の底部５に被せて密封する底蓋６とで構成し、この底蓋６は、天板７とその下方に位置させた底板８とこれら天板７及び底板８を連結する側板９とを有して、この底蓋６と天板７と側板９との間に機能性付与物質１０を保管する収納空間１１を形成し、且つこの収納空間１１内に機能性付与物質１０を入れる入口１２を設けると共に天板７に１以上の通気孔１３を設けてなり、底蓋６の収納空間１１内に入口１２から機能性付与物質１０を入れ、その状態の底蓋６を容器本体２の底部５に被せて密封するものである。
【００２８】
前記容器本体２は円筒状側壁２０を有し、この円筒状側壁２０の上部は円形状の前記口部３となり、この口部３の上端周縁に凸部３ａを設けて、上蓋４の内周面４ｂ下部に設けた複数個の突部(図示せず)と係合する。そして、円筒状側壁２０a上端にはヒンジ連結部２３が設けられて上蓋４に連結され、その反対側の容器本体正面の円筒状側壁２０ｂ上部には凹み部２４が設けられている。
【００２９】
前記上蓋４は、前記容器本体２の円筒状側壁２０に沿った円形体をなし、その内周面４ｂは容器本体２の円形状の口部３から上方に延びる凸部３ａの外周面に密着するように円形をなしている。さらに、上蓋４の天板２７には、上記円筒状側壁２０の円形状の口部３の内周面３ｂに密着するように、円筒状突出部２５が設けられているから、上蓋４と容器本体２との密封性が一段と高められている。また、上蓋４のヒンジ連結部２３の反対側には鍔２６が設けられ、さらに、鍔２６に手指を掛け易くするために、既述のように、容器本体２の円筒状側壁２０ａには凹み部２４が設けられており、上蓋の開閉がスムーズにできる。
【００３０】
前記ヒンジ連結部２３は、主ヒンジ３０及びその両側にある板バネ３１からなり、閉じた状態の上蓋４を板バネ３１のバネ力に抗して開ききると、上蓋４の戻りがなく開いた状態を保持し、逆に、開いた状態の上蓋４を板バネ３１のバネ力に抗して閉じきると、上蓋４の戻りがなく閉じた状態を保持することができる。
【００３１】
前記底蓋６は、図４ないし７に示すように、天板７とその下方に位置させた底板８とこれら天板７及び底板８を連結する側板９とを有してなり、これら天板７、底板８及び側板９に囲われて収納空間１１を形成し、この収納空間１１内に前記機能性付与物質１０を入れるのに充分な大きさの入口１２を側板９に開けてあり、且つ、収納空間１１内の機能性付与物質１０の効用を発揮するように、天板７に通気孔１３を開けてある。図の実施形態では、側板９の内周面は入口１２と反対側が１８０度に渡って円弧状に形成され、その両端部から両端部を通る直線に直交する方向で入口１２側に延びて、側板９の円弧状外周面と接続している。この側板９の開口端部が入口１２を形成している。したがって、底蓋６の収納空間１１内に、機能性付与物質１０を、側板９に開けてある充分な大きさの入口１２から、極めて容易に収納することが出来る。
【００３２】
そして、底蓋６の底板８の外周縁部に凸部８ａを設けると共に、この凸部８ａから外方に突出するシール線条３２を設けている。これら底板８の凸部８ａ及びシール線条３２に対応して、前記容器本体２の底部５、すなわち、円筒状側壁２０の下端部の内周面に、底板８の凸部８ａに沿う凹部３３を設けている（図８参照）。したがって、容器本体２の底部５に底蓋６を被せた際、容器本体２の底部５の凹部３３に、底板８の凸部８ａを嵌めることになるから、容器本体２の凹部３３に底板８の凸部８ａが係合し、凸部８ａとシール線条３２とが凹部３３に密着するようになって、容器本体２の底部５と底蓋６との密封性がより高まることになる。
【００３３】
また、底蓋６の天板７の外周縁部に凸部７ａを設けている。この凸部７ａが、容器本体２の円筒状側壁２０の下部内周面に形成された係止突部３４と係止することとなる（図８参照）。したがって、容器本体２の下部に設けた係止突部３４に天板７の凸部７ａが係止し、凸部８ａが凹部３３と係止して、容器本体２の底部５と底蓋６との密封性に加えて、底蓋６のガタツキを押さえることができる。
【００３４】
前記機能性付与物質１０は、ある一定の機能を付与するものであれば、特に限定がないが、乾燥剤あるいはフレーバー剤がもっと良い効果を得ることが出来ると想定される。他に乾燥剤の逆である保湿剤や、無菌状態を保つ除菌剤なども機能性付与物質１０の範疇に入れることができる。
【００３５】
次に、上記構成になる機能性付与容器１の利用方法について説明する。
まず、どのような機能が必要なのかを精査し、それに合う機能性付与物質１０、例えば、乾燥剤、フレーバー剤、保湿剤、除菌剤などを選択する。つぎに、図４ないし６に示す底蓋６の入口１２から収納空間１１内に選択した機能性付与物質１０を入れ、図７に示す状態にする。そして、この図７の状態の底蓋６を容器本体２の底部５に被せる。その際、容器本体２の底部５の凹部３３に、底板８の凸部８ａを嵌めるから、容器本体２の凹部３３に底板８の凸部８ａ及びシール線条３２が密着し、さらに、係止突部３４にも天板７の凸部７ａが係止して、容器本体２の底部５と底蓋６との密封性が高まり、これに加えて、底蓋６のガタツキを押さえることが出来る。
【００３６】
そのあと、容器本体２内に機能性付与物質１０による機能性を享受したい製品を収納して、上蓋４を被せて、容器本体２内を密封する。底蓋６の収納空間１１内に収納保管されている機能性付与物質１０は、天板７の通気孔１３を通して容器本体２内の製品にその機能性を付与する。容器本体２内の製品を利用したい場合は、上蓋４を開けて製品を取り出し、直ぐに容器本体２に上蓋４を被せれば、容器本体２内の製品に機能性付与物質１０の機能性を再び付与することができ、機能性付与物質１０がその機能性を保持している限り、容器本体２内の製品にその機能性を付与し続けることが出来る。
【００３７】
以上、本発明の実施例１を説明したが、具体的な構成はこれに限定されず、本発明の要旨を逸脱しない範囲での変更は、適宜可能であることが理解されるべきである。
【産業上の利用可能性】
【００３８】
本発明の機能性付与容器は、収納するに際し機能性付与物質を損傷させることがなく、さらに使用時に機能性付与物質を脱落させないで、その機能性を全うしたいような場合に利用可能性が極めて高くなる。
【符号の説明】
【００３９】
１、５０、６０            機能性付与容器
２、５１、６１            容器本体
３、５４、６２            口部
３ａ、７ａ、８ａ          凸部
３ｂ、４ｂ                内周面
４                        上蓋
４ａ                      下端
５                        底部
６                        底蓋
７                        天板
８                        底板
９                        側板
１０                      機能性付与物質
１１                      収納空間
１２                      入口
１３                      通気孔
２０、２０ａ、２０ｂ      円筒状側壁
２３、５２                ヒンジ連結部
２４                      凹み部
２５                      円筒状突出部
２６                      鍔
２７                      天板
３０                      主ヒンジ
３１                      板バネ
３２                      シール線条
３３                      凹部
３４                      係止突部
５３、６３                キャップ
５５                      有蓋筒状パッキン
５６                      乾燥剤
５７                      保持用突起
６４                      頂板
６５                      スリット
６６                      筒状体
６７                      段部
６８                      案内面
６９                      錠剤
【図１】
0005649339.tif 000002
【図２】
0005649339.tif 000003
【図３】
0005649339.tif 000004
【図４】
0005649339.tif 000005
【図５】
0005649339.tif 000006
【図６】
0005649339.tif 000007
【図７】
0005649339.tif 000008
【図８】
0005649339.tif 000009
【図９】
0005649339.tif 000010
【図１０】
0005649339.tif 000011